(57)【要約】【課題】既存インフラの一層の有効活用を提案する。【解決手段】情報共有システム１００は、例えば各駅（所定の場所）に設置された自動改札機１（ゲート装置）と、ユーザーによって入力され、自動改札機１の設置場所に関連のある関連情報を記憶可能な関連情報記憶手段４を有する携帯電話機２と、を備える。自動改札機１と携帯電話機２は、ユーザーが自動改札機１を通過する際に通信可能に構成されている。自動改札機１は、関連情報を携帯電話機２から取得可能であると共に、取得した関連情報を携帯電話機２へ送信可能に構成されている。【選択図】図２
2011165106.tif 000002
【特許請求の範囲】
【請求項１】
所定の場所に設置されたゲート装置と、
ユーザーによって入力され、前記ゲート装置の設置場所に関連のある関連情報を記憶可能な関連情報記憶手段を有する携帯通信端末と、
を備え、
前記ゲート装置と前記携帯通信端末は、前記ユーザーが前記ゲート装置を通過する際に通信可能に構成されており、
前記ゲート装置は、前記関連情報を前記携帯通信端末から取得可能であると共に、取得した前記関連情報を前記携帯通信端末へ送信可能に構成されている、
情報共有システム。
【請求項２】
請求項１に記載の情報共有システムであって、
前記携帯通信端末は、前記関連情報の公開範囲の制限に関する公開制限情報を記憶可能な公開制限情報記憶手段を更に備え、
前記ゲート装置は、前記関連情報を前記携帯通信端末から前記公開制限情報と併せて取得すると共に、取得した前記公開制限情報に基づいて、取得した前記関連情報を前記携帯通信端末へ送信するか判定する公開判定手段を更に備えた、
情報共有システム。
【請求項３】
請求項２に記載の情報共有システムであって、
前記公開制限情報は、前記関連情報の公開範囲を制限しない無制限パターンと、前記関連情報の公開範囲を知人に制限する知人限定パターンと、を含む、
情報共有システム。
【請求項４】
請求項１〜３の何れかに記載の情報共有システムであって、
前記関連情報は、前記ゲート装置の設置場所周辺で前記ユーザーによって作成された写真データ、文章データ、音声データ、動画データのうち何れかを含む、
情報共有システム。
【請求項５】
所定の場所に設置されたゲート装置と、
ユーザーによって入力され、前記ゲート装置の設置場所に関連のある関連情報を記憶可能な携帯通信端末と、を用い、
前記ゲート装置と前記携帯通信端末は、前記ユーザーが前記ゲート装置を通過する際に通信可能であって、
前記ゲート装置は、前記関連情報を前記携帯通信端末から取得すると共に、取得した前記関連情報を前記携帯通信端末へ送信する、
情報共有方法。
【発明の詳細な説明】
【技術分野】
【０００１】
本発明は、携帯通信端末を利用した情報共有システムに関する。
【背景技術】
【０００２】
この種の技術として、特許文献１〜４は、自動改札機と、この自動改札機と無線通信可能な携帯電話機と、から成るシステムにおいて、携帯電話機を自動改札機に翳したときに、携帯電話機を所持するユーザーに対して有益な各種情報を提供する技術が開示されている。
【０００３】
特許文献１に開示の情報提供システムでは、ユーザーが電車に乗るために携帯電話機を自動改札機に翳すと、サーバーがユーザーが通過時から乗車時までの間の余裕時間を算出し、サーバーは、この余裕時間内で済むようなサービス情報（例えば、喫茶や本屋）を携帯電話機を介してユーザーに提供する。
【０００４】
特許文献２には、公共交通機関に遅延が発生した際に、ユーザーが自動改札機に自己の携帯電話機を翳すと、ユーザーは、遅延証明書を携帯電話機に取り込めるようにした技術が開示されている。
【０００５】
特許文献３に開示の情報提供システムは、サーバーが、ユーザーの乗車駅と降車駅との間の地理的な間に関連する情報を、ユーザーが自動改札機を通過した際にユーザーの携帯電話機に提供するようになっている。地理的な間に関する情報として、飲食店の営業時間や映画館の上映スケジュールなどが例示されている。
【０００６】
特許文献４に開示の地図情報提供システムは、遊園地の入場ゲートを通過したユーザーに対して、携帯電話機を介して地図を提供する。
【先行技術文献】
【特許文献】
【０００７】
【特許文献１】特開２００６−９２１１３号公報
【特許文献２】特開２００７−２７２５１３号公報
【特許文献３】特開２００４−２７２６２１号公報
【特許文献４】特開２００８−３９８３０号公報
【発明の概要】
【発明が解決しようとする課題】
【０００８】
上記文献１〜４に開示の技術は何れも情報発信システムとしては有益であるが、既存インフラの一層の有効活用が望まれている。
【課題を解決するための手段】
【０００９】
本願発明の観点によれば、情報共有システムは、所定の場所に設置されたゲート装置と、ユーザーによって入力され、前記ゲート装置の設置場所に関連のある関連情報を記憶可能な関連情報記憶手段を有する携帯通信端末と、を備えている。前記ゲート装置と前記携帯通信端末は、前記ユーザーが前記ゲート装置を通過する際に通信可能に構成されている。前記ゲート装置は、前記関連情報を前記携帯通信端末から取得可能であると共に、取得した前記関連情報を前記携帯通信端末へ送信可能に構成されている。
【発明の効果】
【００１０】
本願発明によれば、前記ゲート装置の設置場所に関連のある関連情報をユーザー間で共有することができる。
【図面の簡単な説明】
【００１１】
【図１】情報共有システムの概略構成図
【図２】情報共有のタイムチャート
【発明を実施するための形態】
【００１２】
以下、図１及び図２を参照しつつ、本願発明の一実施形態を説明する。
【００１３】
本実施形態に係る情報共有システム１００は、例えば電車の各駅に設置された自動改札機１（ゲート装置）と、ユーザーが所持している携帯電話機２（携帯通信端末）と、を含んで構成されている。
【００１４】
上記の自動改札機１と携帯電話機２は何れも公知のRFID技術を用いた無線通信手段（例えば、モバイルSuica（登録商標）に代表される無線通信プロトコル）を備えており、上記のユーザーが自動改札機１を通過する際に携帯電話機２を自動改札機１に翳すと、自動改札機１と携帯電話機２は双方向通信が可能となっている。
【００１５】
この携帯電話機２は、図示しないCPU（中央演算処理器：Central Processing Unit）と読み書き自由なRAM（Random Access Memory）、読み出し専用のROM（Read Only Memory）とを備えている。そして、CPUがROMに記憶されている制御プログラムを読み出して実行することで、CPU等のハードウェアは、図１に示すように、制御手段３、関連情報記憶手段４、公開制限情報記憶手段５、としての機能を発揮できるようになっている。また、携帯電話機２は、テンキーなどの入力手段６、CCDなどから構成される撮影手段７、マイクロフォンから構成される音声取得手段８、液晶ディスプレイからなる表示手段９、を備えて構成されている。
【００１６】
また、自動改札機１も同様にCPU等のハードウェアを備え、制御手段１０、公開判定手段１１としての機能を発揮できるようになっている。
【００１７】
また、本実施形態に係る情報共有システム１００は、更に、サーバー装置１２を備えている。サーバー装置１２は、自動改札機１と双方向通信可能に構成されており、図示しないCPUと読み書き自由なRAM、読み出し専用のROMとを備えている。そして、CPUがROMに記憶されている制御プログラムを読み出して実行することで、CPU等のハードウェアは、制御手段１３、関連情報記憶手段１４、公開制限情報記憶手段１５、としての機能を発揮できるようになっている。
【００１８】
以上の構成で、ユーザーは、携帯電話機２の入力手段６を利用して旅先であった出来事や思い出、感想などを綴った文章データを携帯電話機２に入力できるようになっている。携帯電話機２に入力された文章データは関連情報記憶手段４に記憶される。同様に、ユーザーは、携帯電話機２の撮影手段７を利用して撮影した旅先の風景の写真データや動画データを携帯電話機２に入力でき、携帯電話機２に入力された写真データや動画データは関連情報記憶手段４に記憶される。また、ユーザーは、携帯電話機２の音声取得手段８を利用して旅先の音声の音声データを携帯電話機２に入力でき、携帯電話機２に入力された音声データは関連情報記憶手段４に記憶される。本実施形態において関連情報とは、例えば自動改札機１がA市に設置されていた場合、ユーザーがA市を観光した際に携帯電話機２に入力した情報であって、上記の文章データや写真データ、動画データに音声データの少なくとも何れかを含んでいる。
【００１９】
また、ユーザーは、携帯電話機２に入力した上記の関連情報の公開範囲を制限することができる。具体的には、ユーザーは、上記の関連情報を携帯電話機２に入力する際、公開制限情報を同時に上記の入力手段６を用いて携帯電話機２に入力できるようになっている。ここで、公開制限情報には、上記関連情報の公開範囲を制限しない無制限パターンと、上記関連情報の公開範囲を知人に制限する知人限定パターンと、を含んでいる。また、知人制限パターンは、例えば、ユーザーの所持する携帯電話機２のRAMに記憶された電話帳に登録されている知人の所有する携帯電話機２を特定するための情報（例えばICチップのユニークな製造番号や単純に電話番号など）に基づいて構成されている。ユーザーによって携帯電話機２に入力された公開制限情報は関連情報記憶手段４に記憶された関連情報と関連付けた状態で公開制限情報記憶手段５に記憶される。
【００２０】
携帯電話機２の制御手段３は、ユーザーが自動改札機１の通過時（退場時）に携帯電話機２を自動改札機１に翳した際に、自動改札機１へ関連情報要求信号を前記の無線通信手段を用いて送信する。また、携帯電話機２の制御手段３は、ユーザーが自動改札機１の通過時（入場時）に携帯電話機２を自動改札機１に翳した際に、関連情報記憶手段４から関連情報を読み出して取得すると共に、公開制限情報記憶手段５から公開制限情報を読み出して取得し、取得した関連情報と公開制限情報を自動改札機１に送信する。
【００２１】
自動改札機１の制御手段１０は、携帯電話機２から関連情報を受信して取得可能であると共に、取得した関連情報を携帯電話機２へ送信可能に構成されている。具体的には、自動改札機１の制御手段１０は、携帯電話機２から関連情報と公開制限情報を受信して取得すると、取得した関連情報と公開制限情報をサーバー装置１２へ送信する。また、自動改札機１の制御手段１０がサーバー装置１２から関連情報と公開制限情報を受信して取得すると、公開判定手段１１は、公開制限情報に基づいて、上記の関連情報を自動改札機１を通過したユーザーの携帯電話機２に送信するか否かを判定する。その結果、自動改札機１の制御手段１０が携帯電話機２へ当該関連情報を送信してもよいと公開判定手段１１が判定したら、自動改札機１の制御手段１０は上記関連情報を携帯電話機２へ送信する。また、自動改札機１の制御手段１０は、携帯電話機２から関連情報要求信号を受信すると、関連情報要求信号をサーバー装置１２へ送信する。
【００２２】
サーバー装置１２の制御手段１３は、自動改札機１から関連情報と公開制限情報を受信し取得すると、取得した関連情報と公開制限情報を関連情報記憶手段１４及び公開制限情報記憶手段１５に記憶させる。このとき、制御手段１３は、当該関連情報と公開制限情報の関連付けが維持されるように各情報を関連情報記憶手段１４・公開制限情報記憶手段１５に記憶させる。また、サーバー装置１２の制御手段１３は、自動改札機１から関連情報要求信号を受信すると、関連情報記憶手段１４から関連情報を読み出して取得し、公開制限情報記憶手段１５から公開制限情報を読み出して取得すると共に、当該関連情報及び公開制限情報を自動改札機１へ送信する。
【００２３】
次に、図２を参照しつつ、情報共有システム１００の作動について説明する。
【００２４】
（退場時）
先ず、ユーザーが電車で旅先へと移動し、自動改札機１を通過したときの情報共有システム１００の作動を説明する。
【００２５】
先ず、ユーザーは所有する携帯電話機２を自動改札機１に翳して、所定の出場処理を携帯電話機２と自動改札機１に行わせる。このとき、携帯電話機２の制御手段３は、自動改札機１へ関連情報要求信号を送信する（S300）。
【００２６】
すると、自動改札機１の制御手段１０は、携帯電話機２から関連情報要求信号を受信すると、受信した関連情報要求信号をサーバー装置１２へ転送する（S301）。
【００２７】
サーバー装置１２の制御手段１３は、自動改札機１から関連情報要求信号を受信すると、関連情報記憶手段１４と公開制限情報記憶手段１５から関連情報と公開制限情報を読み込んで取得し、取得した関連情報と公開制限情報を自動改札機１へ送信する（S302）。
【００２８】
自動改札機１の制御手段１０がサーバー装置１２から関連情報と公開制限情報を受信して取得すると、自動改札機１の公開判定手段１１は、公開制限情報に基づいて関連情報を、関連情報要求信号を送信してきた携帯電話機２に送信すべきか判定する（S303）。例えば、公開制限情報が無制限であった場合は、公開判定手段１１は、その公開制限情報に関連付けられた関連情報を携帯電話機２へ送信してもよいと判定する（S303）。また、公開制限情報が知人限定パターンであって、知人限定パターンに含まれている電話番号一覧に携帯電話機２の電話番号（例えば上記関連情報要求信号と共に携帯電話機２から自動改札機１へ送信される。）が含まれていない場合は、公開判定手段１１は、その公開制限情報に関連付けられた関連情報を携帯電話機２へ送信してはいけないと判定する（S303）。
【００２９】
公開判定手段１１が肯定的な判定をしたら、自動改札機１の制御手段１０は、当該関連情報を携帯電話機２へ送信する（S304）。携帯電話機２の制御手段３は、自動改札機１から当該関連情報を受信すると、当該関連情報を例えば表示手段９に表示させる。そして、ユーザーは、携帯電話機２の表示手段９に表示された関連情報を得て、例えばその関連情報を旅行の一層の充実に役立てる。
【００３０】
（入場時）
次に、ユーザーが旅先から帰宅する際に自動改札機１を通過したときの情報共有システム１００の作動を説明する。ここで、ユーザーは、旅先の思い出や気に入った飲食店の情報などを関連情報として文章データとして携帯電話機２に入力しており、この文章データの公開範囲を携帯電話機２の電話帳に登録された知人に限定するよう設定したものとする。
【００３１】
先ず、ユーザーは所有する携帯電話機２を自動改札機１に翳して、所定の入場処理を携帯電話機２と自動改札機１に行わせる。このとき、携帯電話機２の制御手段３は、関連情報記憶手段４から関連情報を取得すると共に、公開制限情報記憶手段５から公開制限情報（ここでは、知人限定パターン）を取得し、取得した関連情報と公開制限情報を自動改札機１に送信する（S401）。
【００３２】
自動改札機１の制御手段１０は、携帯電話機２から関連情報と公開制限情報を受信して取得すると、取得した関連情報と公開制限情報をサーバー装置１２へ転送する（S402）。サーバー装置１２の制御手段１３は、携帯電話機２から当該関連情報と公開制限情報を受信して取得すると、取得した関連情報と公開制限情報を関連情報記憶手段１４及び公開制限情報記憶手段１５に、相互の関連付けを保持した状態で記憶させる。
【００３３】
（まとめ）
（１）以上説明したように本実施形態において、情報共有システム１００は、以下のように構成されている。即ち、情報共有システム１００は、例えば各駅（所定の場所）に設置された自動改札機１（ゲート装置）と、ユーザーによって入力され、自動改札機１の設置場所に関連のある関連情報を記憶可能な関連情報記憶手段４を有する携帯電話機２と、を備える。自動改札機１と携帯電話機２は、ユーザーが自動改札機１を通過する際に通信可能に構成されている。自動改札機１は、関連情報を携帯電話機２から取得可能であると共に、取得した関連情報を携帯電話機２へ送信可能に構成されている。以上の構成によれば、自動改札機１の設置場所に関連のある関連情報をユーザー間で共有することができる。
【００３４】
（２）また、携帯電話機２は、関連情報の公開範囲の制限に関する公開制限情報を記憶可能な公開制限情報記憶手段５を更に備えている。自動改札機１は、関連情報を携帯電話機２から公開制限情報と併せて取得すると共に、取得した公開制限情報に基づいて、取得した関連情報を携帯電話機２へ送信するか判定する公開判定手段１１を更に備えている。以上の構成によれば、関連情報の公開範囲を制限することができる。
【００３５】
（３）また、上記の公開制限情報は、関連情報の公開範囲を制限しない無制限パターンと、関連情報の公開範囲を知人に制限する知人限定パターンと、を含むことが好ましい。
【００３６】
（４）また、関連情報は、自動改札機１の設置場所周辺でユーザーによって作成された写真データ、文章データ、音声データ、動画データのうち何れかを含んでいる。
【００３７】
以上に本願発明の好適な実施形態を説明したが、上記実施形態は例えば以下のように変更することができる。
【００３８】
上記実施形態では関連情報や公開制限情報をサーバー装置１２の記憶装置に記憶するものとしたが、これに代えて、自動改札機１の記憶装置に記憶させておくことができる。
【００３９】
また、携帯電話機２が更に関連情報受信拒否手段を備えていてもよい。関連情報受信拒否手段は、自動改札機１から受信する関連情報を絞る機能を発揮するものであり、例えば当該関連情報に関連付けられた公開制限情報が無制限パターンであった場合、そのような関連情報の受信を拒否する、といった構成とすることができる。
【符号の説明】
【００４０】
１  自動改札機
２  携帯電話機
１００  情報共有システム
【図１】
2011165106.tif 000003
【図２】
2011165106.tif 000004